(57)【要約】【目的】紙面データをＷｅｂ等に流用する場合に，外字フォントの画像を，組版装置における流し込み処理の過程で保存する。【構成】外字フォントを含むコマについては，流し込みデータに外字フォントであることを明示する抽出符号を付しておく。流し込み処理において，抽出符号を検出すると，その抽出符号によって示された抽出方法にしたがって，外字フォントの画像を取得して保存する。抽出方法には，一文中から特定の文字，記号等のみを抽出する方法，一コマ全体のコンテンツを抽出する方法等がある。【選択図】図３
2015046104.tif 000002
【特許請求の範囲】
【請求項１】
流し込みデータ中の外字相当部分を抽出すべきことを明示する抽出符号を設定する設定手段，
配置エリアごとに，そこに割り付けられるべき流し込みデータに関連して，上記設定手段によって設定された抽出符号が付けられているかどうかをデータ流し込み処理においてチェックするチェック手段，および
上記チェック手段によって見出された抽出符号によって明示された，流し込みデータ中の外字相当部分によって表わされる画像を取得して保存する保存手段，
を備えた組版装置。
【請求項２】
上記保存手段は，抽出符号が一つの配置エリア内の流し込みデータのすべてを抽出すべきことを表わすものである場合に，当該配置エリア内に展開される文字等のすべての画像を保存するものである，
請求項１に記載の組版装置。
【請求項３】
上記保存手段は，抽出符号が，流し込みデータによって表わされる一部の文字等を抽出すべきことを表わすものである場合に，抽出符号によって指定された文字等の画像を保存するものである，
請求項１に記載の組版装置。
【請求項４】
配置エリアごとに，そこに割り付けられるべき流し込みデータに関連して，流し込みデータ中の外字相当部分を抽出すべきことを明示する抽出符号が付けられているかどうかを，データ流し込み処理においてチェックするチェック手段，および
上記チェック手段によって見出された抽出符号によって明示された流し込みデータ中の外字相当部分によって表わされる画像を取得して保存する保存手段，
を備えた組版装置。
【請求項５】
流し込みデータ中の外字相当部分を抽出すべきことを明示する抽出符号を流し込みデータに関連して設定し，
データの流し込みの過程で，流し込みデータに関連して抽出符号が設定されているかどうかをチェックし，
抽出符号が設定されている場合にはその抽出符号にしたがって流し込みデータによって表わされる文字等の画像を取得して保存する，
組版方法。
【請求項６】
各配置エリアに割り付けられた流し込みデータごとに抽出符号の有無をチェックする，
請求項５に記載の組版方法。
【請求項７】
ユーザ操作にしたがって，配置エリアごとに，そこに割り付けられるべき流し込みデータ中の外字相当部分に関連して抽出符号を付し，
データの流し込みの過程で，流し込みデータに関連して抽出符号が付されているかどうかをチェックし，
抽出符号が付されている場合にはその抽出符号にしたがって流し込みデータによって表わされる文字等の画像を取得して保存する，
組版方法。
【請求項８】
ユーザ操作にしたがって，流し込みデータ中の外字相当部分を抽出すべきことを明示する抽出符号を流し込みデータに関連して設定し，
データの流し込みの過程で，流し込みデータに関連して抽出符号が設定されているかどうかをチェックし，
抽出符号が設定されている場合にはその抽出符号にしたがって流し込みデータによって表わされる文字等の画像を取得して保存するようにコンピュータを制御する，
組版のためのプログラム。
【請求項９】
ユーザ操作にしたがって，配置エリアごとに，そこに割り付けられるべき流し込みデータ中の外字相当部分に関連して抽出符号を付し，
データの流し込みの過程で，流し込みデータに関連して抽出符号が付されているかどうかをチェックし，
抽出符号が付されている場合にはその抽出符号にしたがって流し込みデータによって表わされる文字等の画像を取得して保存するようにコンピュータを制御する，
組版のためのプログラム。
【発明の詳細な説明】
【技術分野】
【０００１】
この発明は組版装置および方法，ならびに組版プログラムに関する。
【背景技術】
【０００２】
カタログ，チラシ，書籍，論文，解説，その他の記事等については，紙面印刷用の紙面データを制作するだけでなく，その特性から紙面データをＷｅｂ等へ流用することが必要不可欠となっている。紙面データは，ＤＴＰ（Desk Top Publishing ）編集ソフトを用いて制作され，ＤＴＰ編集ソフトのネイティブデータ形式をとる。そのため，紙面データをＷｅｂや他のアプリケーションなどにそのままの形態で流用すると，数式や異体字，特殊文字などのＤＴＰソフトウェア固有の体系によって定義された文字フォントが，文字化け等を起こすことがある。文字化けを避けるためには，流用時に該当文字を画像化することが一般的である（たとえば特許文献１）。
【先行技術文献】
【特許文献】
【０００３】
【特許文献１】特開平１１−３１２１２号公報
【０００４】
この特許文献１に記載の従来方法によると，文字を画像化して抽出するには，紙面に記載する内容やレイアウトが確定した後，抽出部分の領域を手動で設定する。そして，自動組版装置によって流し込んだデータを，設定した領域内において画像として抽出する。この従来のやり方では，流し込み（割り付け）によってレイアウトが変更するたびに，その都度領域を設定しなければならないという問題がある。また，抽出したい領域が大量にある場合，抽出部分の領域を探し，ボックスで囲う作業の負荷は高く，漏れも発生する。
【発明の開示】
【０００５】
この発明は，流し込みによって生じるレイアウトに左右されずに抽出すべき範囲を明確化できるようにするものである。
【０００６】
この発明は，流し込みデータにおいて（レイアウト上ではなく）抽出すべき範囲を指定できるようにするものである。
【０００７】
したがって，この発明は流し込みによって生じるレイアウトに関係なく，指定された外字相当部分の画像データが得られるようにするものである。
【０００８】
この発明による組版装置は，流し込みデータ中の外字相当部分を抽出すべきことを明示する抽出符号を設定する設定手段，配置エリアごとに，そこに割り付けられるべき流し込みデータに関連して，上記設定手段によって設定された抽出符号が付けられているかどうかを，データ流し込み処理においてチェックするチェック手段，および上記チェック手段によって見出された抽出符号によって明示された，流し込みデータ中の外字相当部分によって表わされる画像を取得して保存する保存手段を備えることを特徴とする。
【０００９】
流し込みデータとは文字等を表わすコード（テキスト・データ）および画像データを含む。文字等とは文字，数字，記号等のコード・データで表わされるものをさす。
【００１０】
外字相当部分とは典型的には外字フォントを意味する。外字フォントとは，ＤＴＰソフトウェアで定義されているが，目的とするウェブ・ブラウザその他のアプリケーションではＤＴＰソフトウェアと同じようには定義されていない文字または画像をさし，例示すれば数式，異体字，特殊文字，特殊画像などである。外字フォント以外のものでも，特に抽出符号によって指定すれば外字相当部分となるという意味で，外字相当部分は外字フォントに必ずしも限定されない。
【００１１】
ユーザ（オペレータ）は，設定した抽出符号を用いて，流し込みデータ中の外字相当部分を明示するように流し込みデータに関して加工を施しておく。
【００１２】
組版装置は，抽出符号が付与された流し込みデータについて，配置エリアごとに，抽出符号をチェックし，抽出符号があればそれに従って流し込みデータ中の外字相当部分の画像を取得して保存する。
【００１３】
このようにして，この発明によると，流し込みが完了したレイアウト上ではなく，流し込みデータに関連して付与すべき抽出符号の概念を新たに創作してこれを利用しているから，流し込みによって生じるレイアウトに左右されずに，流し込みデータそのものに関連して抽出すべき範囲を明確化でき，抽出すべき範囲を指定できる。したがって，この発明によると，流し込み処理の過程で外字相当部分の画像データを得ることができる。この画像データは，紙面データをＷｅｂや他のアプリケーションで流用するときに，有効に利用できる。
【００１４】
一実施態様では，上記保存手段は，抽出符号が一つの配置エリア内の流し込みデータのすべてを抽出すべきことを表わすものである場合に，当該配置エリア内に展開される文字等のすべての画像を保存するものである。
【００１５】
他の実施態様では，上記保存手段は，抽出符号が，流し込みデータによって表わされる一部の文字等を抽出すべきことを表わすものである場合に，抽出符号によって指定された文字等の画像を保存するものである。
【００１６】
既に抽出符号が設定され，設定された抽出符号が流し込みデータに関連して付与されていることを前提にすると，この発明による組版装置は，配置エリアごとに，そこに割り付けられるべき流し込みデータに関連して，流し込みデータ中の外字相当部分を抽出すべきことを明示する抽出符号が付けられているかどうかを，データ流し込み処理においてチェックするチェック手段，および上記チェック手段によって見出された抽出符号によって明示された流し込みデータ中の外字相当部分によって表わされる画像を取得して保存する保存手段を備えているものである。
【００１７】
この発明による組版装置における画像保存方法（組版方法）は，ユーザによる操作に応じて，流し込みデータ中の外字相当部分を抽出すべきことを明示する抽出符号を設定（登録）し，データの流し込みの過程で，流し込みデータに関連して抽出符号が設定されているかどうかをチェックし，抽出符号が設定されている場合にはその抽出符号にしたがって流し込みデータによって表わされる文字等の画像を取得して保存するものである。この方法は組版装置に含まれるコンピュータによって実行される。
【００１８】
好ましい実施態様では，各配置エリアに割り付けられた流し込みデータ（コマ）ごとに抽出符号の有無をチェックする。
【００１９】
既に抽出符号が設定，登録されていることを前提にしたこの発明による組版装置におけるコンピュータによる画像保存方法（組版方法）は，ユーザ操作にしたがって，配置エリアごとに，そこに割り付けられるべき流し込みデータ中の外字相当部分に関連して抽出符号を付し，データの流し込みの過程で，流し込みデータに関連して抽出符号が付されているかどうかをチェックし，抽出符号が付されている場合にはその抽出符号にしたがって流し込みデータによって表わされる文字等の画像を取得して保存するものである。
【００２０】
この発明は上記の各方法をコンピュータに実行させるプログラムを提供している。このプログラムは，ユーザ操作にしたがって，流し込みデータ中の外字相当部分を抽出すべきことを明示する抽出符号を設定し，データの流し込みの過程で，流し込みデータに関連して抽出符号が設定されているかどうかをチェックし，抽出符号が設定されている場合にはその抽出符号にしたがって流し込みデータによって表わされる文字等の画像を取得して保存するようにコンピュータを制御するものである。
【００２１】
この発明による他の観点から規定したプログラムは，ユーザ操作にしたがって，配置エリアごとに，そこに割り付けられるべき流し込みデータ中の外字相当部分に関連して抽出符号を付し，データの流し込みの過程で，流し込みデータに関連して抽出符号が付されているかどうかをチェックし，抽出符号が付されている場合にはその抽出符号にしたがって流し込みデータによって表わされる文字等の画像を取得して保存するようにコンピュータを制御するものである。
【図面の簡単な説明】
【００２２】
【図１】組版装置の電気的構成の概要を示すブロック図である。
【図２】完成した書籍の２ページ分のレイアウト例を示す。
【図３】流し込みデータの一例を示す。
【図４】抽出符号の設定テーブルの一例を示す。
【図５】抽出符号（開始，終了記号）を設定する場合の表示画面の一例を示す。
【図６】抽出符号（タグ）を設定する場合の表示画面の一例を示す。
【図７】流し込みデータ本文の一例を示す。
【図８】流し込みデータ本文の他の例を示す。
【図９】組版装置における外字フォント画像保存処理の全体を示すフローチャートである。
【図１０】組版装置における流し込み処理を示すフローチャートである。
【図１１】保存された外字フォントの画像の例を示す。
【図１２】ウェブ・サイト等に渡される流し込みデータの例を示す。
【実施例】
【００２３】
図１は（自動）組版装置（システム）の電気的構成の概要を示すものである。組版装置10は，たとえば，パーソナル・コンピュータ等により構成されており，制御部11，記憶部12，操作部13，表示部14およびインターフェース部（Ｉ／Ｆ部）15を備えている。この組版装置10は，レイアウト作成装置（手段）（いわゆるＤＴＰ処理を行う装置部分），流し込みデータ作成処理装置（手段），抽出符号設定処理装置（手段）および抽出処理装置（手段）を含むということができる。「抽出」は「切り出し」，「取り出し」等の用語で置きかえてもよい。
【００２４】
記憶部12は，たとえば，ハードディスク・ドライブや不揮発性メモリ等により構成されており，オペレーティング・システムや，アプリケーション等の各種プログラム，各種データ（カタログ，チラシ，書籍，その他の記事のためのデータ，各種テーブル，オブジェクト等）等を記憶する。これらのアプリケーション・プログラムには，ＤＴＰレイアウト・データを編集するためのレイアウト編集用アプリケーション（一般的なレイアウト・ソフトを含む），後述する流し込みデータ作成処理，抽出符号設定処理，抽出処理のためのプログラム等が含まれる。流し込みデータ作成処理プログラムはレイアウト・ソフトまたは抽出符号設定処理プログラムに含ませてもよい。これらのプログラムはサーバ装置等からネットワークを介して取得するようにしてもよいし，記録媒体に記録されたものを読み込むようにしてもよい。
【００２５】
操作部13は，たとえばキーボード，マウス等により構成されており，ユーザ（オペレータまたは編集者）の入力操作を受け付け，入力操作に応じた操作信号を制御部11に送る。表示部14は，液晶ディスプレイ装置等で構成されており，制御部11の制御の下，ＤＴＰレイアウト，メニューなどの各種ウィンドウ等を表示する。Ｉ／Ｆ部15は，スキャナやプリンタ等の周辺機器との間で送受信するデータの変換等を行う。
【００２６】
制御部11は，演算機能を有するＣＰＵ，ＲＯＭ，作業用のＲＡＭ等を備えており，操作部13からの操作信号に基づいて，当該操作信号によって指示された処理を行い，その結果を記憶部12，表示部14，Ｉ／Ｆ部15に出力する。
【００２７】
分りやすくするために，まず抽出（切り出し，取り出し）の結果から説明する。図２はこの組版装置10によって制作されている書籍の２ページ分（98頁と99頁）を示す。文字等のレイアウト（流し込み，割り付け）を効率的に進めるために，紙面上に配置エリア（コマ）53，54，55，56等が設定される。各配置エリアは，そこに配置すべきデータ（流し込みデータ）の内容，性質に応じて，レイアウトに適した流し込みデータの塊に応じて定められる。配置エリア（コマ）は流し込みデータの単位を表わす。たとえば，配置エリア53には文字，数式ｉ１，ｉ２，記号ｉ３，図形ＩＭ１を含むコンテンツが配置される。配置エリア54には主に文字からなる文が配置される。配置エリア55は，数式ｉ４のみが表わされる。配置エリア56は文字，記号等からなる文が配置される。各配置エリアごとに流し込みデータが割当てられ，組版装置10のレイアウト・ソフトの機能により，各流し込みデータが各配置エリアに適切に収まるようにレイアウトされる。レイアウトそのもの，またはその修正は（場合によっては配置エリアの変更も），組版装置10において自動的に，オペレータとの協働作業で半自動で，または手動で行なわれる。
【００２８】
これらの各配置エリア内において，外字フォント（外字相当部分）は，配置エリア53内のｉ１，ｉ２で示す数式およびｉ３で示す積分記号，配置エリア55内のｉ４で示すすべての数式である。配置エリア53内の画像ＩＭ１も外字フォントに含まれるが，これは画像データであるから，必ずしも後述する抽出符号を付けなくても画像とて抽出されるから，ここでは特にとり上げないこととする（本発明では，このように，必ずしも抽出符号を付けなくてもよいものがあってもよい）。また，配置エリア56における文の頭にある積分記号も外字フォントであるが，配置エリア53における説明で容易に理解できるから，ここでは特にとりあげて説明はしないこととする。
【００２９】
図11は，配置エリア53および55から抽出された外字フォントｉ１，ｉ２，ｉ３，ｉ４を表わす画像を示している。鎖線で示された枠内が画像データである。
【００３０】
このように，配置エリア53内においては，文章中の数式ｉ１，ｉ２や記号ｉ３が部分的に抽出されている。配置エリア55では配置エリア55内のすべての数式ｉ４が一挙に画像として抽出されている。
【００３１】
配置エリア53内の数式ｉ１，ｉ２，記号ｉ３のように，部分的に外字フォントを抽出すべき（切り出すべき，取り出すべき）ことを表わす抽出符号（切り出し符号，取り出し符号）と，配置エリア55内の全数式ｉ４のように，配置エリア内のすべての流し込みデータを画像として抽出すべきことを示す抽出符号とが用意されている。
【００３２】
これらの抽出符号が図４に抽出符号テーブルとして示されている。図４は抽出符号設定処理（図９，Ｓ21）において設定されるものである。この抽出符号テーブルの第１行目における抽出符号は開始記号☆と終了記号★とから構成され，流し込みデータにおいて抽出すべき外字フォントの前と後に置かれる。すなわち，これらの記号で挟まれた文字等が抽出すべき外字フォントである。抽出符号テーブルの第２行目に設定されているのは抽出タグ（この実施例では，「１」というフラグ）で，この抽出タグが設定された配置エリアに流し込まれるべきデータはそのすべてが画像として抽出される。
【００３３】
これらの抽出符号の設定（登録）処理において表示部14の表示画面に表示される設定画面（ウィンドウ）の一例を図５，図６に示す。
【００３４】
図５は，開始記号として☆を，終了記号として★を設定した様子を示す。抽出画像形式（たとえば.jpgや.eps），位置マージン等も設定される。位置マージンは，抽出する文字等と画像の枠との間のマージン（間隔）ｍであり，その一例が図11に示されている。図５に示す例では，「１コマ内の複数処理」として，「一箇所ずつ抽出」が設定されている。これは，各外字フォントを個別に抽出することを意味する。一文等の連続する部分（場合によっては１コマのすべて）の前後に開始，終了記号を記述したときには，その範囲の文字等，画像が抽出される。これが「最外郭を取得し，一つの画像を抽出」である。
【００３５】
図６はタグの設定画面の一例を示す。参照タグは「抽出タグ」であり，それを表わす文字列は「１」であり，画像形式上は「.esp」であることが設定されている。
【００３６】
このような抽出符号の設定処理は，組版装置10内の表示部14の表示画面の表示（図５，図６）にしたがって，操作部13においてユーザが記号や文字を選択または入力することにより，行なわれる。制御部11は上記表示を制御するとともに，操作部13からの入力を受付けて，設定された抽出符号を図４に示すテーブルの形で記憶部12に記憶する。
【００３７】
図３は流し込みデータの一例を示している。この流し込みデータは上記の配置エリアごとに，すなわち流し込みデータの単位であるコマごとに設定されている。各配置エリア（コマ）がキーにより示されている。流し込みデータには，本文（流し込みデータそれ自体）に加えて，上記キー，章NO.，章タイトル，項目NO.，項目タイトル，挿入画像（図２の画像ＩＭ１），抽出タグが付随する。開始，終了記号は本文に加入されている。
【００３８】
すなわち，キー53の本文が図７に示されている。アットマーク＠は改行を表わす。数式ｉ１，ｉ２や積分記号ｉ３の前後に開始記号☆，終了記号★が付けられている。
【００３９】
図８はキー55の本文を示すものである。本文は数式ｉ４のみからなる。抽出タグ「１」が図３に示すようにキー55の行に付随している。
【００４０】
図３に示すような流し込みデータの制作は，流し込みデータを表示部14の表示画面に表示しながら，オペレータが操作部13から開始，終了記号やタグを入力し，これを制御部11が受付けて図３に示すようなテーブルを作成することにより行なわれる（図９，Ｓ22）。
【００４１】
図９は制御部11による全体的な処理の流れを示すものである。
【００４２】
図４，図５，図６を用いて説明したように，抽出方法，すなわち抽出符号が設定され，設定テーブルに登録される（Ｓ21）。また，図３，図７，図８に示すように，コマごとに，各流し込みデータに関連して，抽出符号（開始，終了記号，抽出タグ）が記入，または設定される（Ｓ22）。そして，図３に示す各コマごとの流し込みデータが各配置エリア（コマ）に流し込まれる，すなわち，各配置エリア内の適切な位置にレイアウトされる（Ｓ23）。もちろん，レイアウトされたコンテンツは表示部14の表示画面に表示される。図10は，主に，図９，Ｓ23の流し込み実行の処理の詳細を示すものである。このフローチャートから分るように，流し込み処理の過程で，上述した抽出符号（開始，終了記号やタグ）を参照してその抽出符号が示す抽出方法にしたがって，指示された外字フォントの画像が抽出され，かつ記憶部12の記憶エリアに保存される。表示されている形態のように画像化されているコンテンツの中から外字フォントの画像を抽出して保存してもよいし，流し込みデータから外字フォントのデータ（コード）を抽出し，これを表わす画像を生成して保存してもよい。いずれにしても抽出すべきことが指示された外字フォントの画像を表わす画像データが保存されればよい。
【００４３】
図10のフローチャートにおいて，図９，Ｓ21の抽出方法の登録で作成された抽出符号のテーブル（図４）を抽出処理が取込む（Ｓ11）。また，図９，Ｓ21の流し込みデータへの抽出符号の付加処理に応答して，加工された流し込みデータ（図３）を抽出処理が読込む（Ｓ12）。以上の準備を経て，流し込み処理が開始される（Ｓ13）。
【００４４】
未だ流し込みが完了していない流し込みデータがあれば（Ｓ14でYes ），１コマ分の流し込みデータを，対応する配置エリアにレイアウトして配置する（位置データ等を与える）とともに画像データに展開して表示部14に表示する（Ｓ15）。
【００４５】
この際に，当該コマの流し込みデータ中に開始，終了記号があるかどうかをチェックし（Ｓ16），あれば設定された抽出方法にしたがって，開始，終了記号で挟まれた文字等の画像を保存する（Ｓ19）。なければ，次に当該コマに抽出タグが付随しているかどうかをチェックし（Ｓ17），もしあればそのタグの表わす抽出方法にしたがって，コマ全体の画像を取り出して保存する（Ｓ19）。すべてのコマについてＳ14〜Ｓ19の処理を繰返し，未だ流し込みが終了していないデータがなくなれば（Ｓ14でNo），流し込みが終了する（Ｓ20）。
【００４６】
記憶部12に保存された画像の一例が図11に示されている。各画像（画像ファイル）にはファイル名10-1.eps，10-2.eps等が付けられている。これらの画像は元の流し込みデータ中の位置に関連づけて，またはコマに関連づけて記憶されているのはいうまでもない。
【００４７】
図12は，ウェブ・サイトや他のアプリケーションに渡される流し込みデータの例を示している。流し込みデータにおける開始記号☆，終了記号★（抽出符号）はそのまま保存される。また，これらの開始記号☆と終了記号★に挟まれた外字フォントの画像については，その位置に画像ファイル名が挿入される。これらの記号☆，★，画像ファイル名はＤＴＰレイアウト上には表示されない制御文字として位置付けられる。
【００４８】
保存された画像データ（図11）は，流し込みデータ（図12）がウェブ・サイトや他のアプリケーションに流用されるときに，その流し込みデータとともにウェブ・サイトやアプリケーションに渡されて利用される。したがって，これらの画像データ，流し込みデータを用いて，ウェブ・サイト等上においても，図２に示すものと同じようなレイアウトが実現される。
【００４９】
このように，コマごとに（配置エリアごとに），流し込みデータに関連する抽出符号が付けられ，流し込み処理において抽出符号の有無をチェックし，抽出符号がある場合には，抽出符号にしたがって該当する外字フォントの画像を保存しているから，配置エリア内のレイアウト位置等に関係なく外字フォントの画像が得られる。
【符号の説明】
【００５０】
10  組版装置
11  制御部
12  記憶部
13  操作部
14  表示部
15  Ｉ／Ｆ部
ｉ１，ｉ２，ｉ３，ｉ４  保存された画像
【図１】
2015046104.tif 000003
【図３】
2015046104.tif 000004
【図４】
2015046104.tif 000005
【図５】
2015046104.tif 000006
【図６】
2015046104.tif 000007
【図７】
2015046104.tif 000008
【図８】
2015046104.tif 000009
【図９】
2015046104.tif 000010
【図１０】
2015046104.tif 000011
【図１１】
2015046104.tif 000012
【図１２】
2015046104.tif 000013
【図２】
2015046104.tif 000014